(57)【特許請求の範囲】
【請求項１】
記録媒体を収納可能な収納部を複数有する収納手段と、
前記収納部に収納された記録媒体を交換して再生を行うと共に、前記複数の収納部全てに記録媒体が収納されている状態の時に、挿入口から挿入された記録媒体を装着して再生可能な再生手段と、
前記再生手段で再生する記録媒体の再生順序を制御する制御手段と、を備え、
前記制御手段は、前記収納手段の複数の収納部全てに記録媒体が収納され、かつ前記再生手段に記録媒体が装着されている状態で、前記収納手段に収納された記録媒体のいずれかが前記挿入口から排出された場合、前記再生手段に装着されている記録媒体の再生終了後、前記再生手段に装着されている記録媒体を記録媒体が排出された収納手段に収納するように制御すると共に、前記収納手段に収納された前記再生手段に装着されていた記録媒体以外の記録媒体を再生手段に装填するように制御することを特徴とする再生装置。
【請求項２】
前記制御手段は、
前記再生装置内の各記録媒体に対応する管理情報を付し、
再生終了した記録媒体に対応する前記管理情報を書き換え、前記管理情報に基づいて前記再生順序を制御することを特徴とする請求項１記載の再生装置。
【請求項３】
前記制御手段は、
再生終了した記録媒体に対応する管理情報を、次に再生される予定の管理情報以外の管理情報に書き換えることを特徴とする請求項２記載の再生装置。
【請求項４】
前記制御手段は、
前記再生手段に装着された記録媒体の再生終了後、直近で前記管理情報の書き換えが行われた記録媒体以外の記録媒体を前記再生手段に装填させるように制御することを特徴とする請求項２又は３記載の再生装置。
【請求項５】
記録媒体を収納可能な収納部を複数有する収納手段と、
前記収納手段に収納された記録媒体を交換して再生を行うと共に、前記複数の収納部全てに記録媒体が収納されている状態の時に、挿入口から挿入された記録媒体を装着して再生可能な再生手段と、
装置内の各記録媒体に再生順序を示す管理情報を付すと共に、該管理情報に基づいて、前記再生手段で再生する記録媒体の再生順序を制御する制御手段と、を備え、
前記制御手段は、前記収納手段の複数の収納部全てに記録媒体が収納され、かつ前記再生手段に記録媒体が装着されている状態で、前記収納部に収納された記録媒体のいずれかが排出された場合、前記再生手段に装着されている記録媒体の再生終了後、前記再生手段に装着されている記録媒体を記録媒体が排出された収納部に収納するように制御すると共に、前記再生手段に装着されていた記録媒体の管理情報を、前記排出された記録媒体の管理情報とは異なる管理情報に書換えることを特徴とする再生装置。
【発明の詳細な説明】
【０００１】
【発明の属する技術分野】
本発明は、ＣＤ，ＭＤ，ＤＶＤ，ＭＯなどのディスク形記録媒体を再生する再生装置に関する。
【０００２】
【従来の技術】
従来より、ディスク形記録媒体（以下、「ディスク」と言う。）を複数収納するマガジンを使用し、複数のディスクを連続して再生することが可能なディスク形記録媒体再生装置（以下、「再生装置」と言う。）がある。
上記従来の再生装置においては、装置内に収納された複数のディスクを管理する方法として、種々のものが提案されている。その一つとして、マガジンに装填された各ディスクにディスク番号を付して、そのディスク番号に従って管理する方法が提案されている（例、特開平１０−２６９７４０号公報）。
【０００３】
図１を用いて、ディスク番号による管理方法の１例を説明する。
図１（Ａ）は、ディスクが挿入されたときの手順（ストアモード）を示す。最初に挿入されたディスクは、ディスク番号▲１▼が付けられて再生部５に装填される。次に挿入されたディスクは、ディスク番号▲２▼が付けられてマガジン４の第１の収納部６に装填される。最後に挿入されたディスクは、ディスク番号▲３▼が付けられてマガジン４の第２の収納部７に装填される。第３の収納部８は空きとされる。
【０００４】
以後、各ディスクは、ディスク番号▲１▼〜▲３▼に従って管理され、図示の例では、ディスク番号▲１▼が最初に再生される。再生終了後、図１（Ｂ）のように、空いた第３の収納部８に装填される。続いて、ディスク番号▲２▼、▲３▼の順で再生される。
図１（Ｃ）に示すように、全収納部６〜８にディスクが装填されている状態で、新たなディスクが挿入されると、挿入ディスクは、ディスク番号▲４▼とされて、再生部５に搬送されて再生される。このように、マガジン４及び再生部５の全てにディスクが装填された状態をフル装填という。
【０００５】
フル装填の状態で、図１（Ｄ）に示すように、マガジン４に装填された１つのディスク、例えばディスク番号▲１▼を排出すると、再生が終了したディスク番号▲４▼は、ディスク番号▲１▼に書き換えられて、第３の収納部８に収納される。
【０００６】
【発明が解決しようとする課題】
図１（Ｄ）に示す状態のとき、自動再生モードであると、次の再生順序にあるディスクが再生部５に送られて再生される。ここで、再生されるディスクが、図１（Ｅ）に示すように、ディスク番号▲１▼であるとする。このディスク番号▲１▼は、直前に再生されたディスク（ディスク番号▲４▼）であるから、同じディスクが続けて再生されることとなる。これは、ユーザを不快にする。
【０００７】
本発明は、複数のディスクを交換再生可能とし、かつ、複数のディスクにディスク番号をつけて管理する再生装置において、フル装填時にディスク排出を行っても、再生順序が適正に選択されるようにすることを目的とするものである。
【０００８】
【課題を解決するための手段】
本発明は、上記目的を達成するためになされたものである。本発明は、複数のディスクをマガジンに収納し、複数のディスクを交換して再生可能であり、かつ、各ディスクにディスク番号を付けて管理を行う再生装置を対象とする。
本発明は、ディスクのフル装填時にディスクの排出があったときは、再生済みのディスクを、排出により空いた収納部に収納する。このとき、排出されたディスクが、次に再生されるディスク番号に指定されていたときは、再生済みのディスク番号を、異なるディスク番号に書き換える。これにより、直前に再生されたディスクが続けて再生されることが防止できる。
【０００９】
書き換えるディスク番号は、マガジンに収納可能な最大番号以内の数値とする場合と、超えた数値とする場合がある。前者の場合は、再生済みのディスク番号は、排出されたディスク番号以外の番号とする必要があって、再生順序の管理は複雑となるが、ディスク番号の管理は容易である。後者の場合は、番号管理は複雑になるが、再生順序の管理は簡単となる。
【００１０】
【発明の実施の形態】
本発明の実施形態について図を用いて説明する。
図２は、ディスク形記録媒体再生装置の構造を断面で示す。
再生装置１の筐体２の前面にディスクの挿入口３が形成される。筐体２内部の奥側上部に複数のディスクを格納可能なマガジン４が配置される。再生部５がマガジン４の下部に配置される。マガジン４は、水平方向に、ディスクを収納するための４つの収納部６，７，８を具備する。
【００１１】
再生部５とマガジン４の手前側に昇降部９が配置される。昇降部９は、挿入口３とマガジン４と再生部５の間でディスクを搬送する。
上記構造の詳細は、従来より知られたものであるので、これ以上の説明は省略する。
図３は、再生装置１の回路構成を示す。
【００１２】
制御部１１はＣＰＵにより構成され、筐体２内の適当な場所に配置される。制御部１１は、メモリ１２に記録されたプログラムに従って、各種制御を実行する。操作部１３は、筐体２の前面パネルに配置された押しボタンスイッチなどから構成される。操作部１３からは、ユーザの操作に応じた信号が制御部１１に出力される。
【００１３】
表示部１４は、筐体２の前面パネルに配置された液晶パネル、ＬＥＤなどから構成され、制御部１１の制御により、ユーザに対して、再生装置１の状態などの各種情報を表示する。再生部５は、制御部１１の制御により、装着されたディスクの再生処理を行う。昇降部９は、制御部１１の制御により、挿入口３、マガジン４、再生部５の間でディスクを搬送する。
【００１４】
次に、制御部１１の処理について、２つの例を説明する。
（実施形態１）
図４は、管理テーブルとディスクの実際の状態を示す。
（Ａ）の管理テーブルは、ディスク番号と、再生順序を示すポインターと、ディスクが排出されたことを示す排出フラグとの対応関係を記録している。前述のように、ディスク番号は、マガジン４の収納部６〜８の順番とは無関係に運用される。（Ｂ）は、マガジン４、再生部５とディスク番号の実際の関係を示す。図示の例では、フル装填（図１Ｃ）の状態からディスク番号▲１▼が排出され、次に再生されるディスクは▲１▼となっている。なお、管理テーブルにおける、ポインターによる再生順序決定方法及び、指定されたディスクの搬送方法などについては、従来より種々提案されているので、適当な方法を採用すればよい。
【００１５】
図５のフローチャートにより、制御部１１による処理を説明する。
ステップＳ１１で、ディスクがフル装填であるか否かが判定され、ステップＳ１２で、マガジン４内のディスクが排出されたか否かが判定される。ステップＳ１１、Ｓ１２の条件が成立した場合、ステップＳ１３へ進む。いずれからの条件が成立しないときは、ステップＳ１１へ戻る。ここで、操作部１３において、その他の操作がなされたときは、対応する処理がなされる。なお、その他の処理については、従来と変わらないので、ここでは説明を省略する。
【００１６】
ステップＳ１３で、排出されたディスク番号が次の再生に選択される番号であるか否かがチェックされる。これは、管理テーブルにおいて、排出フラグが立ったディスク番号とポインターが指示するディスク番号が一致するか否かにより判定する。
ステップＳ１３で不一致である場合とは、図６のように、ディスク番号▲１▼が排出され、ディスク番号▲２▼が次の再生ディスクである場合である。この場合は、ステップＳ１４で、再生済みのディスクを、ディスク番号▲４▼から、排出されたディスク番号▲１▼に書き換える。その後、ステップＳ１７へ進み、ポインターが指示しているディスク番号▲２▼が再生部５へ搬送されて再生される。この場合は、直前に再生され、ディスク番号▲１▼に変更されたディスクが前回に引き続き再生されるということは生じない。
【００１７】
ステップＳ１３で一致の場合とは、図７のように、ディスク番号▲１▼が排出され、ディスク番号▲１▼が次の再生ディスクの場合である。この場合は、ステップＳ１５で、再生済みのディスク番号▲４▼を、排出ディスク番号▲１▼以外の番号、例えばディスク番号▲２▼に書き換える。次いで、ステップＳ１６で、書換え対象番号、つまり元のディスク番号▲２▼を排出ディスク番号▲１▼に書き換える。
【００１８】
その後、ステップＳ１７で、ポインターの示すディスク番号▲１▼が再生される。このとき、再生されるディスクは書換え前にはディスク番号▲２▼であり、再生済みのディスクは書換え前にはディスク番号▲４▼であったので、両者は異なるものとなる。したがって、直前に再生されたディスクが引き続き再生されるということを防止することができる。
【００１９】
（実施形態２）
図８は、第２の実施形態における管理テーブルとディスクの実際の状態を示す。
管理テーブルは、書換えフラグが追加されている点が前述の図４の管理テーブルと異なる。このフラグは、２ビットで構成され、ディスク番号の書換えが行われると「００」から「０１」と変更され、さらに、書換えが行われると、「１０」「１１」と数値が増えていく。図示の例では、ディスク番号▲１▼が排出ディスクであり、次に再生されるディスクがディスク番号▲１▼である。また、ディスク番号▲１▼と▲２▼は書換えがされていないのでフラグが「００」である。▲３▼は以前に書換えられて「０１」となっている。
【００２０】
図９のフローチャートを用いて、制御部１１の動作を説明する。
ステップＳ１１，ステップＳ１２は、前述の図５のフローと同様である。ステップＳ１１，Ｓ１２の条件（フル装填で、ディスク排出がされた）が成立すると、ステップＳ２１へ進む。
ステップＳ２１で、再生済みのディスク番号を排出ディスク番号に書き換える。図８の例では、図１０のように、再生済みのディスク番号▲４▼を排出ディスク番号▲１▼に書き換える。これにより、ディスク番号▲１▼の書換えフラグが「０１」となり、それまで「０１」であったディスク番号▲３▼の書換えフラグが「１０」に進む。
【００２１】
ステップＳ２２で、次の再生ディスク番号が書換えたディスク番号と一致するか否かがチェックされる。これは、管理テーブルにおいて、「０１」を示す書換えフラグのディスク番号が、ポインターが指示するディスク番号であるか否かにより判定する。
ステップＳ２２で不一致である例を図１１に示す。図１１は図１０とは異なり、ディスク番号▲１▼が書換えられ、ポインターが次に再生されるディスクとしてディスク番号▲２▼を指示している。この場合、再生済みのディスク番号▲４▼がディスク番号▲１▼に書換えられたので、そのフラグが「０１」となる。ディスク番号▲３▼の書換えフラグは「１０」に進む。
【００２２】
この不一致の場合は、ステップＳ２３で、ポインターが指示するディスク番号▲２▼を再生する。ここで再生されるディスク番号▲２▼は、直前に再生されたディスク番号▲１▼ではないから、同じディスクが続けて再生されることがない。
ステップＳ２２で一致である例を図１２に示す。排出ディスクはディスク番号▲１▼であり、ポインターが次に再生されるディスクとしてディスク番号▲１▼を指示している。この場合、ディスク番号▲１▼が排出されているので、再生済みのディスク番号▲４▼がディスク番号▲１▼に書換えられて、そのフラグが「０１」となる。ディスク番号▲３▼の書換えフラグは「１０」に進む。
【００２３】
この一致の場合は、ステップＳ２４で、次の再生ディスク番号を書換えディスク番号▲１▼以外に変更する。図１２の場合は、図１３のようにポインターを次のディスク番号▲２▼に移動する。
ステップＳ２５で、ポインターが新たに指示する変更ディスク番号が過去に書き換えられた番号と一致するか否かがチェックされる。このチェックでは、フラグが「００」であれば、過去の書換えがなかったと判定する。
【００２４】
ステップＳ２５で不一致である場合とは、図１３のように、ポインターがディスク番号▲２▼を示し、そのフラグが「００」である場合である。この場合は、ステップＳ２６で、変更されたポインターが示すディスク番号▲２▼が再生される。このディスクは、書換えがないのであるから、直前に再生されたディスク番号▲４▼ではない。したがって、同じディスクが続けて再生されることがない。
【００２５】
ステップＳ２５で一致の例を図１４に示す。図１４は、図１２の状態から変更されたポインターが指示するディスク番号▲２▼のフラグが、過去に書き換えられたことを示す「１０」を示している。この場合は、ステップＳ２７で、マガジン４内に書換えられていないディスク、つまりフラグが「００」のディスクがあるか否かがチェックされる。
【００２６】
ステップＳ２７で、書換えられていないディスクがあれば、ポインターをそのディスク番号に変更する。図１４の例では、ディスク番号▲３▼のフラグが「００」であるから、ポインターをディスク番号▲３▼に変更する。これにより、ステップＳ２８で非書換えのディスク番号▲３▼が再生されるので、同じディスクが続けて再生されることが防止される。
【００２７】
ステップＳ２７で、書き換えられていないディスクがなければ、マガジン４内の一番最初に書換えられたディスク番号にポインターを変更して、そのディスクを再生する。図１５の例では、「００」を示すフラグがないので、一番大きな値を示す「１１」のフラグのディスク番号▲３▼にポインターを変更する。これにより、過去に最初に再生されたディスク番号▲３▼が再生される。
【００２８】
本実施形態２によれば、ディスク排出後に再生されるのは、未再生のディスクか、又は、最も古く再生されたものとなる。したがって、ユーザに、同じディスクが繰り返し再生されているという不快感を与えることがない。
以上、２つの実施形態について説明をしてきたが、再生済みのディスクのディスク番号▲４▼を新たなディスク番号に書き換えるとき、既に使用している１〜４以外の数値、例えば、５〜７を使用することもできる。この場合、ディスク番号に従ってディスク管理ができる。これにより、管理テーブルにおいて書換えフラグを設ける必要がなくなる。
【００２９】
またこの場合、表示部１４に表示する数値は、書き換えたディスク番号については、（書換え番号−Ｎ）とする。なお、ここでのＮという数値は、マガジン４の収納数３に１を足した値であり、以上説明してきた例では４である。
【００３０】
【発明の効果】
本発明によれば、複数のディスクを交換再生可能とし、かつ、複数のディスクにディスク番号をつけて管理する再生装置において、フル装填時にディスク排出を行っても、再生順序が適正に選択されるようにすることができる。
【図面の簡単な説明】
【図１】従来の再生装置におけるディスク番号管理を示す図。
【図２】本発明が適用される再生装置の構造を示す断面図。
【図３】図２の再生装置の回路構成を示す図。
【図４】図２の再生装置における管理テーブルとディスクの状態を示す図。
【図５】図４のテーブルを用いた場合の動作を示すフローチャート。
【図６】図５の処理途中の管理テーブルとディスクの状態を示す図（その１）。
【図７】図５の処理途中の管理テーブルとディスクの状態を示す図（その２）。
【図８】本発明の第２の例における管理テーブルとディスクの状態を示す図。
【図９】図８のテーブルを用いた場合の動作を示すフローチャート。
【図１０】図９の処理途中の管理テーブルとディスクの状態を示す図（その１）。
【図１１】図９の処理途中の管理テーブルとディスクの状態を示す図（その２）。
【図１２】図９の処理途中の管理テーブルとディスクの状態を示す図（その３）。
【図１３】図９の処理途中の管理テーブルとディスクの状態を示す図（その４）。
【図１４】図９の処理途中の管理テーブルとディスクの状態を示す図（その５）。
【図１５】図９の処理途中の管理テーブルとディスクの状態を示す図（その６）。
【符号の説明】
１…再生装置
２…筐体
３…挿入口
４…マガジン
５…再生部
６…第１の収納部
７…第２の収納部
８…第３の収納部
９…昇降部
１１…制御部
１２…メモリ
１３…操作部
１４…表示部
【図１】
0004049507.tif 000002
【図２】
0004049507.tif 000003
【図３】
0004049507.tif 000004
【図４】
0004049507.tif 000005
【図５】
0004049507.tif 000006
【図６】
0004049507.tif 000007
【図７】
0004049507.tif 000008
【図８】
0004049507.tif 000009
【図９】
0004049507.tif 000010
【図１０】
0004049507.tif 000011
【図１１】
0004049507.tif 000012
【図１２】
0004049507.tif 000013
【図１３】
0004049507.tif 000014
【図１４】
0004049507.tif 000015
【図１５】
0004049507.tif 000016